(57)【要約】あるコアに関し、コア底部組子の回路フートプリントを減少させることが出来る。他に、その組子から出てくる全倍振動歪みを減少させることが出来る。そのコアが一つの裏壁部、一つの中央足部と一つの外側壁部を持つ。その裏壁部においては、前と後があり、下端、上端とその上下端の間に伸びていったペアのサイドを持っている。中央足は裏壁部の前から突出し、尚、中央足は裏壁部の前中央のところに定位され。その外側壁部は裏壁部の前から突出している。その中央足は第一軸に沿い伸長し、裏壁部の上、下端の間に伸び出す。その中央足と裏壁部の下に間隔があれば自由選定できる。【選択図】図３
2004515071.tif 000002
【特許請求の範囲】
【請求項１】
螺旋導体を含む組子に使用するコアであり、そのコアは以下の構成を含む、
一つの裏壁部は、前面と後面を持ち、その裏壁部は一つの下端、上端とその上下端の間に伸びていったペアのサイドを持っている、
一つの中央足部は、裏壁部の前から突出し、尚、中央足は裏壁部の前中央のところに定位される、
一つの外側壁部が、裏壁部の前から突出している、
その中に、その中央足部は一つの裏壁部の上下端の間から伸びている第一軸に沿って延長していることを特徴とする、
コア。
【請求項２】
請求項１記載のコアにおいて、中央足部は一つの中間部と一ペアの端部を持ち、その中間部は両端部の間に定位され、中間部と両端部が第一軸に沿い定位され、中間部はある長さを持ち第一軸に沿い伸び出していることを特徴とする、コア。
【請求項３】
請求項２記載のコアにおいて、その中間部はある幅を持ち、第一軸と垂直し伸び出している。その中間部の幅はその中間部の長さに沿い大体平均一致していることを特徴とする、コア。
【請求項４】
請求項３記載のコアにおいて、その中間部はある平面上に大体四方形になっている面をもち、その定位方向は大体その裏壁部の前面と平行していることを特徴とする、コア。
【請求項５】
請求項２記載のコアにおいて、その中央足部の外表面は大体平面になっている一ペアの範囲を持ち、その範囲がその中央足部の中間部に定位され、その大体平面になっている範囲は大体平行であり尚、大体第一軸に平行していることを特徴とする、コア。
【請求項６】
請求項５記載のコアにおいて、各端部は半円柱形であり、ある曲率中心と半径を持ち、その中央足部各端部の外表面がそれぞれ一つの円弧形範囲を持ち、円弧形範囲は中央足部各端部に定位されることを特徴とする、コア。
【請求項７】
請求項１記載のコアにおいて、その中央足部と裏壁部の下に間隔があることを特徴とする、コア。
【請求項８】
請求項７記載のコアにおいて、その中の一通路は中央足部と外側壁部との間に成型され、螺旋導体の一部を収納し、且つ、その通路は第一軸の位置に沿い中央足部と裏壁部の下との間に伸び出していることを特徴とする、コア。
【請求項９】
請求項８記載のコアにおいて、第二軸と第三軸は大体、第一軸と垂直となり、第二軸が一つの周縁に沿い伸び出し、中央足部の第一個端部と中央足部の中間部との間に位置し、第三軸が一つの周縁に沿い伸び出し、中央足部の第二個端部と中間部との間に位置し、その通路が延伸する部分は第三軸と裏壁部の下との間に位置することを特徴とする、コア。
【請求項１０】
請求項９記載のコアにおいて、外側壁部が一ペアの端部を持ち、その裏壁部の下に隣接するように定位され、分割ギャップは外側壁部の両端部の間に成型され、一端部は各端部の近くに定位され、その外側壁部の端部は第三軸と外足部の端部との間に伸び出して、その端部が円弧に沿い伸び出して、その円弧は閉鎖角をもち、中心はその中央足部第二個端部の曲率の中心上に定位されることを特徴とする、コア。
【請求項１１】
請求項１０記載のコアにおいて、その第一個端部の閉鎖角は大体第二個端部の閉鎖角に等しいことを特徴とする、コア。
【請求項１２】
請求項１０記載のコアにおいて、その中央足部がある外表面を持ち、外足部はある内表面を持ち、中央足部の外表面に面し、その中に一つの通路が中央足部の外表面と外側壁部の内表面との間に成型され、その通路が、中央足部の外表面から外側壁部の内表面までの幅を有し、通路の部分は外側壁部端部に隣接する円弧から伸び出し、幅が大体通路に等しい幅を持ち、第三軸と通路と交差するところに延伸していることを特徴とする、コア。
【請求項１３】
請求項１記載のコアにおいて、中央足部が一つの面積を持ち、外側壁部が一つの面積を持ち、及びその裏壁部が一つの面積を持ち、その中に、外側壁部と裏壁部の面積はそれぞれ大体中央壁部の面積と等しいことを特徴とする、コア。
【請求項１４】
螺旋導体を含む組子に使用するコア組合体であり、そのコア組合体は以下の構成を含む、
一ペアのコアは、各コアが下記の構成を含む、
一つの裏壁部は、前面と後面を持ち、その裏壁部は一つの下端、上端とその上下端の間に伸びていったペアのサイドを持っている、
一つの中央足部は、裏壁部の前から突出し、且つ、中央足部は裏壁部の前中央のところに定位される、
一つの外側壁部があり、裏壁部の前から突出している、
その中に、その中央足部は一つの裏壁部の上下端の間から伸びている第一軸に沿って延長していることを特徴とする、
コア組合体。
【請求項１５】
請求項１４記載のコア組合体において、その中に、コアがフートプリント面積を持ち、中央足部が一つの面積を持ち、中央足部の面積がフートプリント面積に対する比率はおよそ０．１４より大きいことを特徴とする、コア組合体。
【請求項１６】
請求項１４記載のコア組合体において、その一ぺアのコアは一つのフートプリント面積を持ち、中央足部が一つの面積を持ち、各コアが一つ有効な長さを持ち、その中央足部の面積がフートプリント面積と有効長さの製品に対する比率は少なくともおよそ０．８５％であることを特徴とする、コア組合体。
【請求項１７】
請求項１４記載のコア組合体において、その一ぺアのコアは一つのフートプリント面積を持ち、中央足部が一つの外周長を持ち、中央足部の外周長がフートプリント面積に対する比率は少なくともおよそ０．１６／ｍｍであることを特徴とする、コア組合体。
【請求項１８】
螺旋導体を含む組子に使用するコアであり、そのコアは以下の構成を含む、
一つの裏壁部、前面と後面を持ち、その裏壁部は一つの下端、上端とその上下端の間に伸びていったペアのサイドを持っている、
一つの中央足部、裏壁部の前から突出し、且つ、中央足部は裏壁部の前中央のところに定位される、
一つの外側壁部があり、裏壁部の前から突出している、
その中に、その中央足部と裏壁部の下に間隔を有することを特徴とする、
コア。
【請求項１９】
請求項１８記載のコアにおいて、その中の一通路は中央足部と外側壁部との間に成型され、螺旋導体の一部を収納し、且つ、その通路は第一軸の位置に沿い中央足部と裏壁部の下との間に伸び出していることを特徴とする、コア。
【請求項２０】
請求項１９記載のコアにおいて、第二軸と第三軸は大体、第一軸と垂直となり、第二軸が一つの周縁に沿い伸び出し、中央足部の第一個端部と中央足部の中間部との間に位置し、第三軸が一つの周縁に沿い伸び出し、中央足部の第二個端部と中央足部の中間部との間に位置し、その通路が延伸する部分は第三軸と裏壁部の下との間に位置することを特徴とする、コア。
【請求項２１】
請求項２０記載のコアにおいて、外側壁部が一ペアの端部を持ち、その裏壁部の下に隣接することに定位される。分割ギャップは外側壁部の両端部の間に成型され、一端部は各端部の近くに定位され、その外側壁部の端部は第三軸と外足部の端部との間に伸び出して、その端部が円弧に沿い伸び出して、その円弧は閉鎖角をもち、中心はその中央足部第二個端部の曲率の中心上に定位されることを特徴とする、コア。
【請求項２２】
請求項２１記載のコアにおいて、その第一個端部の閉鎖角は大体第二個端部の閉鎖角に等しいことを特徴とする、コア。
【請求項２３】
請求項２２記載のコアにおいて、その中央足部がある外表面を持ち、外足部はある内表面を持ち、中央足部の外表面に面し、その中に一つの通路が中央足部の外表面と外側壁部の内表面との間に成型され、その通路が、中央足部の外表面から外側壁部の内表面までの幅を有し、通路の部分は外側壁部端部に隣接する円弧から伸び出し、幅が大体通路に等しい幅を持ち、第三軸と通路と交差するところに延伸していることを特徴とする、コア。
【請求項２４】
ある組子であり、下記の構成を含む、
一つの螺旋組合体であり、その螺旋組合体は下記を含む、
一つの線巻き軸、下記の構成を含む、
ある中央管状部は、対応端を持ち、その中央管状部は一ルーメンを持ち、両対応端の間に伸び出し、そのルーメンはルーメンの軸と垂直する軸に沿いある長楕円形の断面を切り、両対応端の間に延伸する、
一ペアの端フランジは、各端フランジは中央管状部の各端部に装置され、各端フランジは一つの外周長を持ち、その外周長は長楕円形の形を持つ、
一つの螺旋導体は、線巻き軸に装着され、その線巻き軸の中央管状部に囲む、
一つの底部構造は、回路基板上の線巻き軸上に装着し、その底部構造に一つの底足を持ち、線巻き軸の中の一端フランジに装置され、各底足は多数個伝導性リードを持ち、各底足から伸び出す、
一つのフェライトコア組合体は、螺旋組合体に装着され、そのフェライトコア組合体は大体その螺旋組合体を囲むように位置し、そのフェライト・コア組合体は一ペアのコアを含み、各コアは相対的な位置に定位され、対応的な関係でその線巻き軸と螺旋導体とを囲み、各コアが下記の構成を含む、
一つの裏壁部、前面と後面を持ち、その裏壁部は一つの外周長を持ち、その裏壁部はある厚みを持ち、その前面と後面との間に定位され、裏壁部の厚みは大体平均一致し、裏壁部は大体四方形を呈する外周長を持ち、裏壁部は一つの下端、上端とその上下端の間に伸びていった一対のサイドを持ち、裏壁部の後面は大体平面である、
一つの中央足部は、裏壁部の前面から突き出し、しかもその中央足部は大体裏壁部の前面中央に定位され、中央足部が一つの外表面を持ち、その伸びが裏壁部の前面と大体垂直となり、中央足部は第一軸に沿い伸長し、その伸びが裏壁部の下端と大体垂直し、その中央足部は一つの中間部と一ペアの端部があり、その中間部は両端部の間に定位され、中間部は一つの長さを持ち、その伸びは第一軸と大体平行し、且つ、一つの幅を持ち、その伸びは第一軸と大体垂直となり、中間部の幅は中間部の長さに沿ってその長さが一致し、その中間部は大体四方形の平面を持ち、その定位方向は、裏壁部の前面と大体平行とし、中央足部の外表面には大体水平的な範囲を持ち、その大体水平的な範囲は中央足部の中間部に位置し、水平の範囲は大体互いに平行している、
各端部は半円柱形であり、一つの曲率中心と半径をもち、その中央足部の外表面には一対の円弧範囲があり、それが中央足部の各端部に定位され、その中央足部には前向き面があり、前向きの面は大体水平であり、裏壁部の前面と平行する平面と大体平行する、
一第二軸と一第三軸の伸びは、第一軸と大体垂直し、その第二軸は一つの周縁に沿い伸びていて、中央足部の第一個端部と中間部の間に位置する。その第三軸は一つの周縁に沿い、中央足部の第二個端部と中間部の間に位置する、
中央足部は一つの面積を持ち、それが中央足部前向き面の面積と同じであり、中央足部の面積は各端部の半径を円周率（π）にかけ、そして中間部の幅×中間部の長さの積と合計したものである、
一つの外側壁部は、裏壁部の前面から突出し、外側壁部は大体馬蹄型の円弧形構造でその外側壁部は内表面があり、その内表面は円弧形の範囲があり、中央足部の外表面に形成した円弧形範囲の一つと対向する、
外側壁部は外表面を有し、それは外側壁部の内表面から外側壁部の外表面までの幅を有し、外側壁部内表面に切った線と垂直する線と沿うように伸びる、
その外側壁部は一ペアの端部を持っていて、裏壁部の下端に定位され、分割ギャップは外側壁部の各端部の間に成型され、分割ギャップは第一軸に平分され、一つの端部は各端部に近いところに定位され、その外側壁部各端部は第三軸と外足部の端部の間に伸びていて、その各端部は一つの円弧に沿い伸び出し、その円弧は閉鎖角を定位しており、それが中央足部と第二個端部の曲率中心のところに設置しており、それは第三軸から外側壁部端部の範囲まで計り、その第一個端部閉鎖角は大体第二個端部閉鎖角に等しい、
その外側壁部には一つの前向き面が大体平面であり、それが裏壁部の前面と大体平行する平面上に位置する、
その外側壁部は、外側壁部前向き面と裏壁部の前面との間の厚みを持ち、外側壁部の厚みは大体、平均一致している、
多数の通量線路軸は中央足部から外へ伸び、各通量線路軸の伸びは、中央足部外表面に切る線と垂直する、
ギャップは中央足部の外表面と外側壁部の内表面の間に成型され、そのギャップはある通路を成型していて、中央足部を囲んで、そのギャップは中央足部の外表面と外側壁部の内表面が各通量線路軸に沿った幅を持ち、そのギャップは裏壁部の前面と外側壁部前向き面が定位する平面間の深さを持つ、
その中に、第二端部とそのコア裏壁部との底の間に間隔を持ち、その通路を中央足部と裏壁部との底の間に伸び出させ、その通路が延伸する部分は第三軸と裏壁部との底の間に定位され、平均一致な幅を持ち、その外側壁部の内表面はその通路の延伸するところに沿い、閉鎖角全体に大体沿って伸び出すことを特徴とする、
フェライト・コア。
【発明の詳細な説明】
【０００１】
【発明の属する技術分野】
本発明は、フェライトコアに関し、特にある新規のフェライトコアであり、フェライトコア底部組子の回路フートプリントを減少させることが出来る。他に、その組子から出てくる全倍振動歪み（ｔｏｔａｌ ｈａｒｍｏｎｉｃ ｄｉｓｔｏｒｔｉｏｎ）を減少させることが出来る。
【０００２】
【関連技術】
フェライトコアというのは従来から使用されているが、このフェライトコアは螺旋導体に極めて近い位置にあり、これは螺旋導体各コイルの間の磁気流量に助益となる。
【０００３】
フェライトコアにおいて、周知の技術は図１Ａ、１Ｂ、１Ｃに示す。これら周知されたコアの様式は伝統上に円柱型の中央足と一つの馬蹄型の外足を使用している。各変化は、増して来たギャップに沿ってその中央足を拡大すること、それから、その外足に他の中断するところを設置することによりその螺旋導体の風通しを増加させること（図１Ｂ）、及びその外足の端の間にギャップを増加させること（図１Ｃ）、を含む。
【０００４】
しかし、各要素の結合はこれらの様式をベストのものより少なく応用されて、ここで回路のスベースは非常に必要であり、かつここで各接近する組子の間の干渉は最小限に減少すべきである。
【０００５】
ある分野においては、こういう応用が特に真実である。それは電子画面信号回路である。中央電信局の高速電話線路サービス会社での装置はその一例である。こいう会社が使用する高速電話線路技術は、例えばデジタルユーザー（ＤＳＬ）線路とか、その変更例えば、非対称デジタルユーザー（ＡＤＳＬ）線路とか、対称式デジタルユーザー（ＳＤＳＬ）線路とか、対称式高速デジタルユーザー（ＳＨＤＳＬ）線路及び多速デジタルユーザー（ＭＤＳＬ）線路などがあり、これらでお客様の伝統電話線路を経由しインタネットと他のネットワークと繋がる。これらのサプライヤーは中央電信局へその電路が占めるスベースを出すため、現在は各プリント基板に設置する組子を小型化にする趨向があり占めるスベースを減少させる。各組子の小型化はより多い回路又は電話線路の接合口を一つの基板に装置出来る外に、各回路基板が装置スタンドで互いにもっと接近できるようになった。ですから、現在の趨向は各組子が小さく出来、それにその高さももっと低くなった。高さと言うのは各組子が回路基板から出てきた距離であり、上記にすれば、各回路基板は装置スタンドで互いにもっと接近できる。
【０００６】
各組子の小型化において、特に変圧器、センサー及びそれら変圧器とセンサーに使うフェライトコアはそれなりの欠点もない。より小さいコアに数多くの導体がその組子に存在し、その組子に数を増加すれば有害になる。例えば、漏電、分配性電気容量、変圧器組子における主要と次のコイル間の電気容量、が増加し、そして、組子スペクトル容量の一般性増加などである。また、そのより新しいコアから出てきた全倍振動歪みはもう注目され、直流バイアスのコントロールと一緒である。
【０００７】
図１Ａ、１Ｂ、１Ｃに示すコア構造のように、その中央足と外足との間の通路における広さはより大きくなった。例えばこれらコアの中央足の中央線（Ｃ）の下に現れることは磁気飽和になる可能性は実に大きいである。それからその磁気通量線路の長さは、線路長さが中心線（Ｃ）の上に定位する方より長いため、フェライトコアの有効通量携帯能力にとって有力な助けとなることはない。
【０００８】
［図面の簡単な説明］
本発明は、ある新規のフェライトコア構造を提供するものである。それはフェライトコア底部組子の回路フートプリントを減少させることが出来る。他に、その組子から出てくる全倍振動歪み（ｔｏｔａｌ ｈａｒｍｏｎｉｃ ｄｉｓｔｏｒｔｉｏｎ）を減少させることが出来る。
【０００９】
上記の目的を達成するため、本発明は、一つの裏壁部、一つの中央足部と一つの外側壁部がある。その裏壁部においては、前と後があり、下端、上端とその上下端の間に伸びていったペアのサイドを持っている。中央足は裏壁部の前から突出し、尚、中央足は裏壁部の前中央のところに定位される。その外側壁部は裏壁部の前から突出している。本発明の第一実施例の中に、その中央足は一つの裏壁部の上下端の間から伸びている第一軸に沿って延長している。本発明のもう一つの実施例の中にその中央足とその裏壁部の下に間隔がある。
【００１０】
【発明の実施例】
図面を参照してください。特に図２と図８である、それは本発明のある新規フェライトコアにおける具体的な実施原理と概念である。
【００１１】
本発明のフェライトコアは一つの螺旋導体（ｃｏｉｌｅｄ ｃｏｎｄｕｃｔｏｒ）（１６）を応用する組子（１０）に使えば非常に相応しいである。例えば、変圧器又はセンサーである。本発明のフェライトコアはその組子（１０）が産生する全倍振動歪みを持ちたいところに応用するのは特に相応しいである。例えば、その組子（１０）は主に信号コントロールのところに使う。そのフェライトコアも電源供給応用の組子に使える。
【００１２】
本発明のフェライトコアは螺旋組合体（１２）及びフェライトコア組合体（１４）の組子（１０）に使うことが相応しいである。その螺旋組合体（１２）は一つの線巻き軸（１８）、に装置する螺旋導体（１６）及びその線巻き軸（１８）を一つの回路基板に装置する底部構造（２０）を含む。このような形態の組子（１０）は一つのプリント基板に（２）に装置するものであり、他の組子への連結に使う。その回路基板の表面に一つの装置平面がある。その回路基板の装置平面はほぼ垂直状或いはほぼ水平状に定位できる。それに、その組子（１０）は各種違う方向で回路基板の上に装置でき、例えば、第一方向（よく見かける水平式装置）であり、その中に、螺旋導体（１６）の中心軸（１７）が略その装置平面と平行している。尚、第二方向であり（よく見かける垂直式装置）であり、その中に、螺旋導体（１６）の中心軸（１７）が略その装置平面と垂直している。説明のために、組子（１０）は第一方向に装置するように述べる。組子（１０）もコア組合体（１４）の構造を変更せずに第二方向に装置できることも当然理解できる。
【００１３】
本発明の実施例に示すように、組子（１０）の線巻き軸（１８）は中央管状部（２２）が持っている。その中央管状部（２２）は対応端（２４）、（２５）及びその両対応端（２４）、（２５）の間に伸びているルーメン（ｌｕｍｅｎ）（２６）がある。そのルーメン（２６）は両端で開放方式になっている。そのルーメン（２６）はそれに垂直する軸に沿って一つの長楕円形の断面を切って、両対応端（２４）、（２５）の開け口の間に延伸する。そのルーメン（２６）の断面形状はそのコアの中央足部（ｃｅｎｔｒａｌ ｌｅｇ ｐｏｒｔｉｏｎ ）と合う外表面形状を採用した方がいいであり、小型構造となる。線巻き軸（１８）は一対の端フランジ（２８）、（２９）を持っており、各端フランジ（２８）、（２９）は中央管状部（２２）の端（２４）、（２５）に装置しており、一つの線巻き軸に似ている構造となる。各端フランジ（２８）、（２９）は一つの円周があり、各端フランジ（２８）、（２９）の円周形状はそのフェライトコアの中央足部及び外足部との間に定めている溝とあわせるものである。本実施例の中に、各端フランジ（２８）、（２９）の円周は一つの長楕円形形状を持っている。
【００１４】
その螺旋導体（１６）は線巻き軸（１８）の中央管状部（２２）に巻いており、例えば金属線である。その線巻き軸（１８）の底部構造（２０）は底足（３０）、（３１）を持つことが出来、線巻き軸（１８）の各端フランジ（２８）、（２９）に装置し、底足（３０）、（３１）は印刷回路基板の表面上につく。各底足（３０）、（３１）は少なくとも一つの伝導性リード（３２）が底足（３０）、（３１）からそとへ伸び、伝導性リード（３２）は線巻き軸（１８）上の螺旋導体（１６）に連結しておる。その特殊な底部構造（２０）は変化でき、特にその組子（１０）は第二方向に装置するときである。
【００１５】
本発明のフェライトコア（４０）はコア組合体（１４）の一部であった方が良いである。そのコア組合体（１４）は螺旋組合体（１２）上に装置しその組子（１０）を形成する。コア組合体（１４）は大体螺旋組合体（１２）の線巻き軸（１８）と螺旋導体（１６）を包囲した方が回路基板に定位しているその組子（１０）のほかの組子を干渉することが減少できる。コア組合体（１４）上の各穴又は開け口は組子（１０）から磁気通量が流出することを許可する。それが近くの各組子の干渉を感応できる。
【００１６】
コア組合体（１４）は一ペアのコア（４０）、（４１）があり、その各コア（４０）、（４１）は一相対的な位置に定位すべきで、対応的な関係で螺旋組合体（１２）の線巻き軸（１８）と螺旋導体（１６）とを環しておる。各コア（４０）、（４１）は形態が大体同じであったほうがよいである。コア（４０）は、一つの裏壁部（４２）、裏壁部（４２）の前面（４８）から突出している中央足部（４４）、と裏壁部（４２）の前面（４８）から突出している外側壁部（４６）、を含む。コア（４０）の裏壁部（４２）、中央足部（４４）、と外側壁部（４６）は一体成型の単一フェライト磁気材料の方が良い。
【００１７】
その裏壁部（４２）は一つの前面（４８）、一つの後面（４９）と一つの前面（４８）と後面（４９）の間から出てくる外周長（５０）がある。その裏壁部（４２）の厚みサイズは（Ａ）であり、その厚みサイズ（Ａ）は前面（４８）と後面（４９）の間の距離を測れる。裏壁部（４２）の厚みは大体全体一致である。本発明の実施例の中に、裏壁部（４２）は大体四方形となっている外周長（５０）があり、その外周長（５０）は一つの下端（５１）、上端（５２）と一ペアの下端（５１）と上端（５２）との間から伸びてきたサイド（５４）、（５５）より定位する。裏壁部（４２）の幅（Ｂ）は両サイド（５４）、（５５）の間により決まる。裏壁部（４２）の長さ（Ｃ）は下端（５１）と上端（５２）の間により決まる。裏壁部（４２）の後面（４９）は大体平面となっている。組子（１０）の第一装置方向において、その裏壁部（４２）の後面（４９）の平面は大体その装置平面と平行すると定位され、第二装置方向において、裏壁部（４２）の後面（４９）の平面は大体その装置平面と垂直すると定位される。
【００１８】
コア（４０）の中央足（４４）は大体その裏壁部（４２）の前面（４８）に真ん中で定位される。中央足部（４４）は一つの外表面（５６）があり、それは中央足部（４４）の外周長に沿って伸びてきて、外表面（５６）の伸びは大体裏壁部（４２）の前面（４８）と垂直する。
重要なのは、コア（４０）の全体磁気通量線路（及び通量携帯容量）を最大にするため、回路基板のフートプリントの面積が最小となったとき、本発明の中央足部（４４）は大体その装置平面と垂直する（コア（４０）が単一方向にあるとき）方向へ伸びていく。
【００１９】
中央足部（４４）は第一軸（５８）にそって延長し、その第一軸（５８）は大体裏壁部（４２）の下端（５１）と垂直し、尚、大体裏壁部（４２）の後面（４９）の平面と平行している。組子（１０）が回路基板の第一方向に装置すると、第一軸（５８）の定位方向は大体、回路基板の装置平面と垂直する。その延長している中央足部（４４）は一つの中間部（６０）と一ペアの端部（６２）、（６３）があり、その中間部（６０）は両端部（６２）、（６３）の間に定位される。中央足部（４４）は第一軸（５８）に対称したほうが良い。中間部（６０）は一つの長さサイズがあり、その伸びは大体第一軸（５８）と平行している。尚、一つの幅サイズがあり、その伸びは大体第一軸（５８）と垂直している。中間部（６０）の幅は中間部（６０）の長さに沿ってその長さが一致した方が良いである。重要なのは、中間部（６０）の長さと一つの円柱型の中央足と比べ、それが中央足部（４４）の伸びとなる。この伸び範囲は中間部（６０）に長さ凡そ０．１ｍｍから始まる。中間部（６０）の両端部（６２）、（６３）の間にその中間部（６０）は大体四方形の平面があっても良いである。その方向は大体、裏壁部（４２）の前面（４８）と平行する。中央足部（４４）の外表面（５６）には中央足部（４４）の中間部（６０）に一ペアの大体水平的な範囲（６４）、（６５）があっても良いである。その大体水平的な範囲（６４）、（６５）が互いに平行した方が良いである。
【００２０】
各端部（６２）、（６３）には一つの半円柱形があり、一つの曲率中心（６６）、（６７）があり、ある半径がその中央足部（４４）の各端部（６２）、（６３）の曲率中心（６６）、（６７）と外表面（５６）との間に伸びている。その中央足部（４４）の外表面（５６）は一ペアの円弧範囲（６８）、（６９）があり、それが各端部（６２）、（６３）に定位される。各端部（６２）、（６３）上の円弧形外表面（５６）はその外表面（５６）が各端部（６２）、（６３）に隣接しながら多数のひらい表面で組み合ったものに希望する。各ひらい表面はその方向が曲率中心（６６）、（６７）から伸びてきた半径と垂直することに定位される。その中央足部（４４）は前向き面（７０）（ｆｏｒｗａｒｄ ｆａｃｅ）があり、それが大体ひらい方が良いである。大体裏壁部（４２）の前面（４８）と平行する。
【００２１】
一第二軸（７２）と一第三軸（７４）の伸びが大体その第一軸（５８）と垂直する。その第二軸（７２）は一つの周りに沿い、中央足部（４４）の第一個端部（６２）と中央足部（４４）の中間部（６０）の間に伸びていて、尚曲率中心（６６）を通過する。その第三軸（７４）一つの周りに沿い、中央足部（４４）の第二個端部（６３）と中間部（６０）の間に伸びていて、尚曲率中心（６７）を通過する。
【００２２】
外側壁部（４６）は裏壁部（４２）の前面（４８）から突出する。外側壁部（４６）は大体、馬蹄型の円弧形構造でその中央足部（４４）を囲んだ方が良いである。外側壁部（４６）は内表面（７６）があり、それは中央足部（４４）に面している。その内表面（７６）は円弧形の範囲（７８）があり、中央足部（４４）第一個端部（６２）の外表面円弧形の範囲（６８）に相対すると定位される。外側壁部（４６）も外表面（８０）と外側壁部（４６）の幅（Ｄ）を持っている。それは外側壁部（４６）の内表面（７６）から外側壁部（４６）の外表面（８０）まで計る。その幅を計る時にある外側壁部（４６）内表面（７６）に切った線と垂直するように沿う。コア（４０）の平均的な横切り面積の通量線路（ｆｌｕｘ ｐａｔｈ）を計るために、その外側壁部（４６）の最小平均幅は計算でやるべきである。
【００２３】
その外側壁部（４６）は一ペアの端部（８２）、（８３）を持っていて、裏壁部（４２）の下端（５１）に定位される。分割ギャップ（８４）は外側壁部（４６）の各端部（８２）、（８３）の間に成型され、導体と螺旋組合体（１２）の底部構造（２０）の通過に提供する。分割ギャップ（８４）は大体第一軸（５８）に平分される。外側壁部（４６）の端部（８６）、（８７）は各端部（８２）、（８３）に定位される。その外側壁部（４６）の端部（８６）、（８７）は第三軸（７４）と外足部の端部との間に伸びている。各端部（８６）、（８７）は円弧に沿い伸びていて、中央足部（４４）の外表面（５６）と外側壁部（４６）の内表面（７６）の間に大体平均的な間隔で外側壁部（４６）の各端部（８６）、（８７）に保持できる。
【００２４】
一つの閉鎖角のその中心は中央足部（４４）の二個目の端部（６３）の曲率中心（６７）に設置され、第三軸（７４）から外側壁部（４６）端部（８６）、（８７）の範囲まで計る。平均一致な状態で各端部（８６）、（８７）と中央足部（４４）との間に保持され、端部（８６）、（８７）平均一致な断面積状態を保持する（図５）。その閉鎖角は端部（８６）、（８７）を含まない方がよく、中央足部（４４）との間に間隔距離があり、それが中央足部（４４）と外側壁部（４６）との間の平均間隔より大きく、又は外側壁部（４６）の断面積は外側壁部（４６）と第三軸（７４）との交差ところの面積が減少し始まる。その第一個端部（８６）閉鎖角Ｘ１は大体第二個端部（８７）閉鎖角Ｘ２に等しく、端部（８６）、（８７）の間に対称を産生する。閉鎖角Ｘ１ 、Ｘ２の範囲は０度から９０度までで、最も希望する角度の範囲は３０度近く、９０度に接近するところである。それでコアの平均一致する断面積の通量線路を強め、しかも飽和の発生は不可能である。ある因数はその閉鎖角Ｘ１ 、Ｘ２の大小を制限し、導体通路が必要するギャップと端部（８２）、（８３）との間の底部構造（２０）を提供でき、尚、角度を９０度までに制限でき、かつ、分割ギャップ（８４）の全面閉鎖である。
【００２５】
外側壁部（４６）も前向きの面（８８）あり、大体平面である。その前向き面（８８）はある平面に位置でき、それが大体裏壁部（４２）の前面（４８）と平行する。その組子（１０）が発揮する直流偏圧コントロール能力を上げるため、少なくとも一個のコア組合体（１４）のコア（４０）、（４１）が一個の中央足部（４４）を外側壁部（４６）前向き面（８８）の平面へ伸びることは出来ないように希望する。そうすると、一個の相当小さい分割はコア組合体（１４）のコア（４０）、（４１）の各中央足部（４４）との間に成型される。その外側壁部（４６）は厚みサイズ（Ｅ）があり、それが外側壁部（４６）前向き面（８８）と裏壁部（４２）の前面（４８）との間の距離を測れる。外側壁部（４６）の厚みは端部（８２）、（８３）の間に大体、平均一致している。
【００２６】
ギャップ（９０）は中央足部（４４）の外表面（５６）と外側壁部（４６）の内表面（７６）の間に成型される。そのギャップ（９０）はある通路を成型していて、伸びて中央足部（４４）を囲んで、中央足部（４４）と外側壁部（４６）の間に位置する。多数の通量線路軸は中央足部（４４）から外へ伸び、各通量線路軸（９４）の伸びは大体、中央足部（４４）外表面（５６）に切る線と垂直する。各通量線路軸（９４）はそのギャップ（９０）を跨り、外側壁部（４６）の中に伸びる。ギャップ（９０）は幅サイズ（Ｆ）があり、各通量線路軸（９４）に沿い中央足部（４４）外表面（５６）と外側壁部（４６）の内表面（７６）の間の距離を測れる。そのギャップ（９０）はある深さをもち、裏壁部（４２）の前面（４８）と外側壁部（４６）前向き面（８８）が定位する平面間の距離を測れる。基本的に、外側壁部（４６）の厚みサイズ（Ｅ）に等しい。
【００２７】
信号電圧が組子（１０）を通過するときにその組子（１０）が強制する全倍振動歪みという状況を減るために、通路のところに、ギャップ（９０）の幅サイズ（Ｆ）は大体平均一致しており、コアの中に増大すべきで、それで外側壁部（４６）（及び裏壁部（４２））の部分を増大し、そこで磁気通量線路の通過があり、飽和することはない。
【００２８】
より重要なのは、増大コアの各部に、ある平均一致の磁気線路長さとある平均一致な断面積を提供でき、それでコアが産生する全倍振動歪みを減少させる。上記の状況にあうコア部は後記が提起する平均一致の磁気線路長さ、平均一致な断面積状態（ＵＭＰＬＵＣＳＡ）という内容にあたる。コアの各部がＵＭＰＬＵＣＳＡ状態に符合しないことはコアの全倍振動歪みという特色に対する意義を生じない。尚、そのコアにおける有効なパラメーターを計算するときに役立つと思うはずはない。国際電子工程協会（ＩＥＣ）はもう国際標準２０５を提出し、コアの有効なパラメーター計算を成り立ち、ある有効な断面積（Ａｅ）とある有効な磁気線路長さ（Ｌｅ）を含む。
【００２９】
本発明のコアにおける平均一致な磁気線路長さと平均一致な断面積状態を決定するために、中央足部（４４）の面積は下記の方程式で計算できる。
【００３０】
【数１】
2004515071.tif 000003
【００３１】
本発明のコアにおける平均一致な磁気線路長さと平均一致な断面積状態を決定するために、外側壁部（４６）の面積は下記の方程式で計算できる。
【００３２】
【数２】
2004515071.tif 000004
【００３３】
本発明のコアにおける平均一致な磁気線路長さと平均一致な断面積状態を決定するために、裏壁部（４２）の面積は下記の方程式で計算できる。
【００３４】
【数３】
2004515071.tif 000005
【００３５】
コアの磁気通量線路を完璧にするため、裏壁部（４２）の面積と外側壁部（４６）の計算面積は少なくとも等しく、或いは中央足部（４４）の計算面積を超える。そうすれば、中央足部（４４）を通過する通量線路が外側壁部（４６）又は裏壁部（４２）に圧縮し通過しない。重要なのは、コア中央足部の延長を利用することにより中央足部の面積拡大で磁気通量のコア通過に役立つが、中央足部の増大面積は必ず外側壁部と裏壁部の面積とに等しく又は超過し、平均一致な断面積状態を満足させる。ですから十分に通量流動の可能性を利用する。他に、ＵＭＰＬＵＣＳＡ状態に満足するために、裏壁部（４２）と外側壁部（４６）の面積は面積計算中に視し、中央足部（４４）より平均一致の距離まで定位すべきであり、すると、通量線路が裏壁部（４２）と外側壁部（４６）の関連するより近い面積は磁気通量に飽和されなく、通量線路は裏壁部（４２）と外側壁部（４６）の関連するより遠い面積はより少ない磁気通量を携帯するので、非平均一致通量を産生しその平均一致の面積を通過する。
中央足部（４４）の延長も中央足部面積は回路基板上のコアが占める面積（フートプリント）比例の増加に許可する。よりその組子（１０）のフートプリント面積は略、裏壁部（４２）の幅（Ｂ）を２倍の裏壁部（４２）厚み（Ａ）と外側壁部（４６）の厚み（Ｅ）の合計に等しい。中央足部（４４）の面積は上記の計算により決定される。本発明の伸長する中央足部（４４）を通し、中央足部（４４）の面積が組子（１０）フートプリント面積に対する比例は約０．１４より大きく、言い換えると、中央足部（４４）の面積はその組子（１０）のフートプリント面積の約１４％である。
ある同じ関係において、中央足部（４４）の面積と回路基板上におけるコアが占めるフートプリント面積及び有効長さ（ＬｅがＩＣＥ２０５により計算される）の積算の間にある比率を持ち、それは本発明の伸長する中央足部（４４）により増加する。コアがその伸長する中央足部（４４）を使用すると、一つの比率、少なくとも０．８を表現できる。
中央足部（４４）の延長は中央足部の外周が回路基板上にコアが占めるフートプリント面積の比率増加をも許可する。例えば、各半円柱端部が中央足部（４４）に使用し、その中央足部（４４）の外周長は下記の通りである。
【００３６】
【数４】
2004515071.tif 000006
【００３７】
本発明の伸長する中央足部（４４）を通し、中央足部（４４）の外周長が組子（１０）フートプリント面積に対する比例は約０．１６／ｍｍである。
中央足部（４４）の延伸もＵＭＰＬＵＣＳＡ状態に符合する中央足部（４４）の外周長が回路基板上にコアが占めるフートプリント面積に対する比率の増加を許可する。例えば、各半円柱端部が中央足部（４４）に使用され、ＵＭＰＬＵＣＳＡ状態に符合する中央足部（４４）の外周長が大体下記の通りである。
【００３８】
【数５】
2004515071.tif 000007
【００３９】
本発明の使用によると、ＵＭＰＬＵＣＳＡ状態に符合する中央足部（４４）の外周長が回路基板上にコアが占めるフートプリント面積に対する比率は０．８２／ｍｍより大きい。又、ＵＭＰＬＵＣＳＡ状態に符合する中央足部（４４）の外周長が外周長に対する比率はその伸長する中央足部（４４）により増加する。その比率は本発明の予期より０．５大きく、０．５２以上の値に含んだ方が良い。
【００４０】
本発明が選択重要な特色は、中央足部（４４）とコア裏壁部（４２）の下端を含み、それが外側壁部（４６）の端部（８６）、（８７）から伸びることを許可し、通路は中央足部（４４）と裏壁部（４２）の下端との間から伸びることをも許可する（図７）。その通路伸び部の重要部位（第三軸と裏壁部（４２）底との間）に平均一致な幅が有り得る。その外側足部端部における平均一致幅の伸びは閉鎖角と外側壁部（４６）の面積を増加させた。その外側壁部（４６）の内表面（７６）が通路伸び部分に沿い、殆ど閉鎖角全部に沿い伸びる。外側壁部（４６）の伸びが中央足部（４４）を囲み、コア組合体を利用し螺旋組合体の閉鎖を増大させることに役立つ。それでコア組合体の増加を利用し通量が螺旋組合体からの流失を抑える。
【００４１】
外側壁部（４６）の面積が中央足部（４４）の面積を超える部分は磁気通量のためコアを通過する必要なく、コアから除去すれば良い。外側壁部（４６）の面積における平均一致分布（伸長する中央足部に使用されるとき）は外側壁部（４６）をある平均一致なベルトにさせ中央足部（図６）を囲む。普通、これが外側壁部（４６）の隅ところに発生する。特に裏壁部（４２）上端の隅に向くところである。裏壁部（４２）は外側壁部（４６）と同じ輪郭を持て、自由に選定できる。裏壁部（４２）の面積は中央足部（４４）の面積の下になければ結構である。
【００４２】
図８に示すように、本発明の実施例の中に、端部（８６）、（８７）は円弧形でなく、第三軸（７４）上の外側壁部（４６）に相対する部位は真っ直ぐである。外側壁部（４６）端部の最低部位は面積計算の中に含まれず、最低部位は平均一致な通量線路長さを提供しない。
上記の記述に対し、理解すべきことは、本発明各部位における適当なサイズ関係、サイズ、材料、形、形態、機能、操作の方式、組合及び使用の変化を含み、はこの技術をよく知る人にとって容易である。図面と説明書に述べるように、本発明の範囲内に含まれる。
【図面の簡単な説明】
【図１Ａ】従来のフェライトコアの各概略前面図。
【図１Ｂ】従来のフェライトコアの各概略前面図。
【図１Ｃ】従来のフェライトコアの各概略前面図。
【図２】変圧器或いはセンサーの組子が本発明のフェライトコアを使うときの概略分解立体図。
【図３】本発明におけるコアの概略分解立体図。
【図４】本発明における概略前面図。
【図５】図４が示した、本発明が表現したフェライトコアと各軸の組合の概略前面図。
【図６】本発明におけるフェライトコアの随意な構造であり、特に一つの外側足が外側壁の端部に沿って一つの平均している幅が持っている概略前面図。
【図７】本発明におけるフェライトコアの他の随意な構造の概略前面図。
【図８】本発明におけるフェライトコアのもう一つ随意な構造の概略前面図。
【国際公開パンフレット】
2004515071.tif 000008
2004515071.tif 000009
2004515071.tif 000010
2004515071.tif 000011
2004515071.tif 000012
2004515071.tif 000013
2004515071.tif 000014
2004515071.tif 000015
2004515071.tif 000016
2004515071.tif 000017
2004515071.tif 000018
2004515071.tif 000019
2004515071.tif 000020
2004515071.tif 000021
2004515071.tif 000022
2004515071.tif 000023
2004515071.tif 000024
2004515071.tif 000025
2004515071.tif 000026
2004515071.tif 000027
2004515071.tif 000028
2004515071.tif 000029
2004515071.tif 000030
2004515071.tif 000031
2004515071.tif 000032
2004515071.tif 000033
2004515071.tif 000034
2004515071.tif 000035
2004515071.tif 000036
2004515071.tif 000037
2004515071.tif 000038
2004515071.tif 000039
2004515071.tif 000040
2004515071.tif 000041
2004515071.tif 000042
2004515071.tif 000043
2004515071.tif 000044
2004515071.tif 000045
2004515071.tif 000046
2004515071.tif 000047
【国際調査報告】
2004515071.tif 000048